(57)【要約】【課題】魚釣用電動リールの操作部は、操作のしやすさやリール本体のコンパクト化などが要望され、操作部の形状や配置に種々の提案されている。  【解決手段】電動リールは、スプールの後方に駆動モータに指操作による回動で駆動指示を与えるモータ操作部、スプールの側方にクラッチ機構のクラッチ連結・遮断のクラッチ操作部を配置し、リール本体を把持する手の指操作により、クラッチ操作、サミング操作及び釣糸巻上げ操作を連続的に行いスムーズな片手持ち操作及び両手持ち操作を実施する。【選択図】図１
2013021935.tif 000002
【特許請求の範囲】
【請求項１】
前方に繰り出した釣糸を巻上げて巻回するスプールと、
前記スプールを回転させて、前記釣糸の巻上げを行うための駆動モータと、
前記スプールの後方で両端が回動可能に軸支され、前記スプールの軸心よりも低い位置に回動する軸心が配置され、前記駆動モータの駆動を指操作による回動で指示するモータ操作部と、
前記スプールの側方に設けられ、前記駆動モータの駆動力を前記スプールに伝搬又は遮断するクラッチ機構と、
前記クラッチ機構に連結して、前記モータ操作部の回動する軸心より上方に配置され、クラッチの伝搬又は遮断を指示するクラッチ操作部と、
を具備することを特徴とする魚釣用電動リール。
【請求項２】
前方に繰り出した釣糸を巻上げて巻回するスプールと、
前記スプールを回転させて、前記釣糸の巻上げを行うための駆動モータと、
前記スプールの後方で、両端が回動可能に軸支され、前記駆動モータの駆動を指操作による回動で指示するモータ操作部と、
前記駆動モータの駆動力を前記スプールに伝搬又は遮断するクラッチ機構と、
前記スプールの側方に設けられ、前記クラッチ機構に対して前記駆動モータの駆動力を前記スプールに伝搬させる指示を行うクラッチＯＮ操作部と、
前記クラッチ機構から延出して前記モータ操作部の下方を迂曲する昇降移動可能な一対の支持アーム間に連結して前記モータ操作部に近接配置され、前記スプールへの前記駆動モータの駆動力を遮断するクラッチＯＦＦ操作部と、
を具備することを特徴とする魚釣用電動リール。
【請求項３】
前記モータ操作部は、角度センサが連結され、
回動の角度に応じた前記角度センサの出力により、前記駆動モータに対して釣糸の巻上げ開始・停止及び巻上げ速度を指示することを特徴とする請求項１又は２に記載の魚釣用電動リール。
【請求項４】
前記クラッチＯＦＦ操作部における、前記一対の支持アーム間を連結する部材として、前記モータ操作部を回動可能に軸支し、
押し下げ操作によるクラッチＯＦＦ機能と、回動操作による前記駆動モータの巻上げ操作の機能とを有することを特徴とする請求項２に記載の魚釣用電動リール。
【請求項５】
前記モータ操作部とクラッチ操作部とが、前記一対の支持アーム間を横架して一軸上に並設されて一体的に構成されることを特徴とする請求項２に記載の魚釣用電動リール。
【発明の詳細な説明】
【技術分野】
【０００１】
本発明は、駆動部位に対する指示機能を有する操作部を搭載する魚釣用電動リールに関する。
【背景技術】
【０００２】
一般に、魚釣りに用いられている魚釣用電動リール（以下、電動リールと称する）においては、釣行を行う際に、釣糸の繰り出し、釣糸の巻上げ等の複数の異なった動作を行うために、それぞれに専用に設けられた操作部位を操作している。例えば、釣行を開始する際には、釣糸を繰り出すためにクラッチＯＦＦ操作部を操作して、クラッチを切ってスプールをフリー状態にする。また、仕掛けが着底又は、所望する位置に到達した際には、クラッチＯＮ操作部を操作して、クラッチを繋いで釣糸の繰り出しを停止させる。さらに、仕掛けを回収する又は、魚が掛かった場合には、駆動モータの駆動開始・停止又は、巻上げ速度の指示を行う巻上げ操作部などを操作している。
【先行技術文献】
【特許文献】
【０００３】
【特許文献１】特開２００１−１６９７００号公報
【発明の概要】
【発明が解決しようとする課題】
【０００４】
前述した操作部は、リール本体の異なる位置に独立して設けられている。これらの配置や形状は、リール本体内の内部機構や操作のしやすさなどが考慮されている。  
しかしながら、さらなる操作のしやすさや、リール本体のコンパクト化などが要望され、操作部の形状や配置に種々の提案がなされている。  
そこで本発明は、リール本体に設けられる駆動部位に対して、操作のしやすさや小型化を実現する指示機能を有する操作部を搭載する魚釣用電動リールを提供することを目的とする。
【課題を解決するための手段】
【０００５】
上記目的を達成する本発明に従う実施形態による魚釣用電動リールは、前方に繰り出した釣糸を巻上げて巻回するスプールと、該スプールを回転させて、前記釣糸の巻上げを行うための駆動モータと、前記スプールの後方で両端が回動可能に軸支され、前記スプールの軸心よりも低い位置に回動する軸心が配置され、前記駆動モータの駆動を指操作による回動で指示するモータ操作部と、前記スプールの側方に設けられ、前記駆動モータの駆動力を前記スプールに伝搬又は遮断するクラッチ機構と、前記クラッチ機構に連結して、前記モータ操作部の回動する軸心より上方に配置され、クラッチの伝搬又は遮断を指示するクラッチ操作部と、を具備する。
【発明の効果】
【０００６】
本発明によれば、リール本体に設けられる駆動部位に対して、操作のしやすさや小型化を実現する指示機能を有する操作部を搭載する魚釣用電動リールを提供することができる。
【図面の簡単な説明】
【０００７】
【図１】図１（ａ）は、本発明の第１の実施形態に係る魚釣用電動リールの上方から見た全体的な外観構成を示す図、図１（ｂ）は、電動リールを後方から見た全体的な外観構成を示す図である。
【図２】図２は、第１の実施形態のクラッチ機構の構成例を示す図である。
【図３】図３は、図１に示すＡ−Ａ断面の電動リールの内部構造を示す断面図である。
【図４】図４（ａ）は、第２の実施形態に係る電動リールを上方から見た全体的な外観構成を示す図、図４（ｂ）は、電動リールを後方から見た全体的な外観構成を図である。
【図５】図５は、第２の実施形態のクラッチ機構の構成例を示す図である。
【図６】図６（ａ）は、図４に示すＢ−Ｂ断面の電動リールの内部構造におけるクラッチがＯＮ状態を示す断面図、図６（ｂ）は、電動リールにおけるクラッチがＯＦＦ状態を示す断面図である。
【図７】図７（ａ）は、第３の実施形態に係る電動リールを上方から見た全体的な外観構成を示す図、図７（ｂ）は、電動リールを後方から見た全体的な外観構成を図である。
【図８】図８は、第３の実施形態に係る電動リールを片手で把持している状態を示す図である。
【図９】図９は、第３の実施形態のクラッチ機構の構成を示す図である。
【図１０】図１０（ａ）は、図７（ａ）に示すＣ−Ｃ断面の電動リールの内部構造におけるクラッチがＯＮ状態を示す断面図、図１０（ｂ）は、電動リールにおけるクラッチがＯＦＦ状態を示す断面図である。
【図１１】図１１（ａ）は、第４の実施形態に係る電動リールを上方から見た全体的な外観構成を示す図、図１１（ｂ）は、電動リールを後方から見た全体的な外観構成を図である。
【図１２】図１２は、第４の実施形態のクラッチ機構の構成を示す図である。
【図１３】図１３は、図１１（ａ）に示すＤ−Ｄ断面の電動リールの内部構造を示す断面図である。
【図１４】図１４は、第５の実施形態に係る電動リールを上方から見た全体的な外観構成を示す図である。
【図１５】図１５は、クラッチ機構の構成を示す図である。
【図１６】図１６は、図１４に示すＥ−Ｅ断面の電動リールの内部構造を示す断面図である。
【発明を実施するための形態】
【０００８】
以下、図面を参照して本発明の実施形態について詳細に説明する。  
［第１の実施形態］
図１（ａ）は、本発明の第１の実施形態に係る魚釣用電動リール（以下、電動リールと称する）を上方から見た全体的な外観構成を示す図、図１（ｂ）は、電動リールを後方から見た全体的な外観構成を図である。図２は、クラッチ機構の構成を示す図である。図３は、図１に示すＡ−Ａ断面の電動リールの内部構造を示す断面図である。尚、以下の各実施形態における説明でリール本体において、釣糸が繰り出される矢印ｍの方向を前方（第１の方向）とし、その反対の矢印ｎの方向（第２の方向）を後方とする。
【０００９】
電動リール１は、リール本体２内に、スプール７に釣糸（又は道糸）を巻取るための駆動モータ５を含む駆動機構６と、駆動モータ５からスプール７への駆動力の伝達の連結又は遮断を行うクラッチ機構１０とが図示しないフレームに収容され、外装部により覆われている。さらに、リール本体２の側方の一方には、スプール７を手動で回転させる手巻き用ハンドル１２が設けられ、ハンドル１２の基部側にはドラグ調整用ノブ１３が設けられている。
【００１０】
また、リール本体２でスプール７を露呈させる開口領域の側端で、ハンドル１２の回転軸の後方には、クラッチＯＮ／ＯＦＦ操作部１１が設けられている。このクラッチＯＮ／ＯＦＦ操作部（以下、クラッチレバーと称する）１１は、片持ち支持された回動するレバー形状を成し、図２に示すクラッチ機構１０による駆動モータ５からスプール７への駆動力の伝達の連結（クラッチＯＮ）又は遮断（クラッチＯＦＦ）を指示する。
【００１１】
本実施形態では、クラッチレバー１１が上方位置（クラッチＯＮ）に上がっていれば駆動力が伝達され、下方位置（クラッチＯＦＦ）に下がっていれば駆動力が遮断されている。また、ハンドル１２とクラッチレバー１１は、クラッチ機構１０に対して相関関係を有し、クラッチレバー１１を押し下げると係止（ロック）され、クラッチが切られる。この時、スプール７がフリー状態となり釣糸が繰り出される。また、クラッチレバー１１を指で操作する又はハンドル１２を回転させると、係止が解除されてクラッチが連結する。尚、クラッチレバー１１が下方位置の時に、ハンドル１２が回転されると、係止状態が解除されて、クラッチレバー１１が上方位置に戻るように復帰する。
【００１２】
リール本体２の上面には、表示画面カバー３ａが配置され、その後方にはメニュー選択及び各種設定を行うための複数の操作ボタン４が配置されている。  
さらに、スプール７の後方には、駆動モータ５に対して釣糸の巻上げ開始・停止及び巻上げ速度を指示するモータ操作部８が設けられている。
【００１３】
このモータ操作部８は、操作指示のために指が当接する円筒形状を成す当接領域（モータ操作部材）を有する回動型スイッチである。モータ操作部８は、両端が図示しないフレームに回動可能に軸支され、一端には角度センサ（ポテンショメータ等）９が連結されている。指の曲げ伸ばし動作により、モータ操作部８を回動させて、角度センサ９の角度をリニアに変化させることで、その回動の角度に応じた角度センサ９の出力により、駆動モータ４による釣糸の巻上げ開始・停止及びリニアな巻上げ速度を指示する。モータ操作部８及びクラッチレバー１１は、硬質樹脂や耐腐食性の金属又は、表面が耐腐食処理された金属により形成される。
【００１４】
また、リール本体２の上部には、前述した表示画面カバー３ａ及び操作ボタン４等が設けられた箱形状の部材（箱部材）からなる制御ケース１７が取り付けられている。この制御ケース１７内には、液晶表示部３及び、図示していないが、それぞれの構成部位を駆動制御するための種々のプログラムや設定情報等を記憶する不揮発性固体記憶素子：ＲＯＭ（Read Only Memory）と、書き換え可能で一時記憶領域として利用する揮発性固体記憶素子：ＲＡＭ（Random Access Memory）と、リール全体を制御する演算処理デバイス例えば、ＣＰＵ（Central Processing Unit）からなる制御部とを備えている。
【００１５】
制御ケース１７の下方には、駆動モータ５が配置され、さらにスプール７の前方には、スプール７に釣糸が均一な高さとなるように巻き付けを行うレベルワインド機構１８が設けられている。また、リール本体２の下部には、釣竿に装着するための竿取付部１４と、図示しない電源ケーブルが接続される電源用コネクタ１５が設けられている。尚、本実施形態では、駆動モータ５をスプール７の前方に配置した例であったが、この構成に限定されるものではなく、公知のスプール内にモータを配置する方法を採用してもよい。
【００１６】
図３に示すように、本実施形態のモータ操作部８は、回動する軸心がスプール７の軸心よりも低い位置に配置される。また、図１（ｂ）に示すように、前述したクラッチレバー１１は、モータ操作部８の軸心より上方に配置されている。
【００１７】
以上のように、本実施形態における構成によれば、例えば、釣竿及びリール本体を把持する手の親指操作により、クラッチレバー１１のクラッチ操作、スプール７のサミング操作及び、モータ操作部８の釣糸巻上げ操作を連続的に行う片手持ち操作、所謂ワンハンド操作を容易に実施することができる。
【００１８】
さらに、モータ操作部８の回動する軸心がスプール７の軸心よりも低い位置に配置されることにより、把持を行う際のパーミング性が改善される。また、クラッチレバー１１の回動軸支位置がモータ操作部８の軸心より上方に配置されていることにより、操作の容易性が改善される。
【００１９】
モータ操作部８は、円筒形状で両端がフレームに取り付けられているため、一箇所が回動可能に取り付けられている片持ちタイプのレバー構造に比べて、強度が高くなり、過負荷や衝撃に対して破損し難くなっている。特に、巻き上げ操作中に突然魚が掛かってくる場合においても、上側からモータ操作部を抑えている手の親指で十分耐えることが可能となり、そのまま、魚の引きに応じた巻取り操作への移行が可能となる。また、両手操作においても、釣竿及びリール本体を把持する一方の手の親指操作により、サミング操作及びモータ操作を行い、他方の手で、スプール７のクラッチ操及ハンドル１２の手巻き操作を行うことで、スムーズな釣行操作を実現することができる。
【００２０】
［第２の実施形態］
図４（ａ）は、第２の実施形態に係る電動リールを上方から見た全体的な外観構成を示す図、図４（ｂ）は、電動リールを後方から見た全体的な外観構成を図である。図５は、クラッチ機構の構成を示す図である。図６（ａ）は、図４に示すＢ−Ｂ断面の電動リールの内部構造におけるクラッチがＯＮ状態を示す断面図、図６（ｂ）は、電動リールにおけるクラッチがＯＦＦ状態を示す断面図である。尚、本実施形態の構成部位に置いて、前述した第１の実施形態と同等の構成部位には同じ参照符号を付してその説明は省略する。
【００２１】
本実施形態は、前述したクラッチＯＮ／ＯＦＦ操作部１１が、クラッチＯＦＦ操作部２２とクラッチＯＮ操作部２３とに機能別に設けられた構成である。  
クラッチＯＦＦ操作部２２は、前述したと同様な円筒形状を成すモータ操作部２１と隣接する位置に設けられる。クラッチＯＦＦ操作部２２は、モータ操作部２１の下面側に沿って後方に延出するつば部を有するレバー形状を成し、クラッチ機構２４から延出して前記モータ操作部２１の下方を迂曲する昇降移動可能な一対の支持アーム２５のそれぞれの端部に取り付けられている。一対の支持アーム２５は、降下移動によりクラッチをＯＦＦ（遮断）し、クラッチがＯＮ（連結）されると、上昇して復帰する。本実施形態では、クラッチＯＦＦ操作部２２と支持アーム２５は、モータ操作部２１を迂曲するように設けられている。尚、この例では、一対の支持アームに保持される構成であるが、他にも、例えば、対向するフレーム間でクラッチ機構２４から延出した１本の支持アームが屈曲して、一方のフレームから延び出て、スプールの後を通って、他方のフレームまで到達し、Ｌ字の先端部分が移動可能に保持されるＬ字型の支持アームにも適用することができる。
【００２２】
クラッチＯＦＦ操作部２２を押し下げることで、支持アーム２５が下がりクラッチがＯＦＦされて、駆動モータ５からスプール７に伝達される駆動力が遮断され、スプール７がフリー状態となる。  
また、クラッチＯＮ操作部２３は、スプール７が露呈するリール本体２の開口領域の一方の側端に、昇降する押しボタンの形状を成して設けられている。クラッチＯＮ操作部２３は、クラッチ機構２４に連結され、押し込みによりクラッチがＯＮして、駆動モータ５からスプール７に駆動力が伝達される。
【００２３】
これらのクラッチＯＦＦ操作部２２とクラッチＯＮ操作部２３は、クラッチ機構２４に対して相関関係を有し、クラッチＯＦＦ操作部２２を押し下げて係止させた際に、クラッチが切られると共に、クラッチＯＮ操作部２３の上部がポップアップして突出される。反対に、突出するクラッチＯＮ操作部２３の上部を押し込むと、クラッチが繋がれると共に、クラッチＯＦＦ操作部２２が解除されて上方に移動して戻る。尚、クラッチが切られた状態の時に、手動ハンドル１２を回してクラッチを繋いだ場合には、クラッチＯＮ操作部２３の上部が引き込まれ、クラッチＯＦＦ操作部２２が解除されて戻る。
【００２４】
モータ操作部２１は、駆動モータ５に対して釣糸の巻上げ開始・停止及び巻上げ速度を指示する。モータ操作部２１は、回動する軸心がスプール７の軸心と同等又は低い位置に配置される。  
本実施形態においては、モータ操作部２１及びクラッチＯＦＦ操作部２２は、近接して配置されているため、モータ操作部２１は、リール本体２を把持したまま、その手の親指の曲げ伸ばし動作によりモータの駆動調整を行い、その指先にてクラッチＯＦＦ操作部２２を押し下げて、クラッチをＯＦＦにする。
【００２５】
本実施形態の電動リール２をコマセ釣りに適用した場合、例えば、左手でリール本体と釣竿を把持し、仕掛け及びコマセかごを投入する際に、その親指の指先部分によりクラッチＯＦＦ操作部２２を押し下げて係止させると、クラッチがＯＦＦされて、スプール７がフリー状態となる。仕掛けが海底に向かい下降を開始して、状況によっては、その親指を伸ばして、スプール７に指の腹を宛がいサミング操作を行う。
【００２６】
その後、着底した時又は釣糸が所望する繰り出し距離になった時に、左手の親指を側方に移動させて、その指先でクラッチＯＮ操作部２３を押し込む又は、右手で手動ハンドル１２を回して、クラッチを繋ぎ、繰り出しを停止させて、棚取りを行う。魚が掛かった場合又は、仕掛けを回収する場合には、左手の親指によりモータ操作部２１を回動させて巻上げ駆動モータ５を低速から駆動させて釣糸の巻上げを行う。また途中で、魚の引き具合に合わせて、親指を曲げ伸ばしすることでモータ操作部２１を回動させて、釣糸の巻上げ速度を調整する。
【００２７】
以上のように、本実施形態の電動リール１は、操作部位の配置と形状により、リール本体と釣竿を把持する片手により釣行における主たる、仕掛けの投入動作及び釣糸の巻上げ動作をスムーズに実施することができる。また、両手操作においても、クラッチ操作、サミング操作及び巻上げ操作をいずれの手でも担当することができるため、状況に合わせてスムーズに釣行を行うことができる。
【００２８】
［第３の実施形態］
図７（ａ）は、第３の実施形態に係る電動リールを上方から見た全体的な外観構成を示す図、図７（ｂ）は、電動リールを後方から見た全体的な外観構成を図である。図８は、第３の実施形態に係る電動リールを片手で把持している状態を示す図である。図９は、クラッチ機構の構成を示す図である。図１０（ａ）は、図７（ａ）に示すＣ−Ｃ断面の電動リールの内部構造におけるクラッチがＯＮ状態を示す断面図、図１０（ｂ）は、電動リールにおけるクラッチがＯＦＦ状態を示す断面図である。尚、本実施形態の構成部位に置いて、前述した第２の実施形態と同等の構成部位には同じ参照符号を付してその説明は省略する。
【００２９】
本実施形態は、クラッチＯＦＦ操作の機能と駆動モータの巻上げ操作の機能を統合した複合機能操作部３１が設けられている。具体的には、クラッチＯＦＦ操作部における一対の支持アーム２５間にモータ操作部（２１）を設けた構成である。また、前述したクラッチＯＮ操作部２３に加えて、リール本体２の開口領域におけるハンドル１２の反対側のスプール７の上方には、第２のクラッチＯＮ操作部３２が設けられている。
【００３０】
複合機能操作部３１は、スプール７の後方に設けられた操作指示のために指を接触させて回動する円筒形状を成す当接領域（モータ操作部材）を有する回動型スイッチである。当接領域は、両端より一段、径が大きく形成され、その表面には滑り止め用の溝又は凹凸が形成されている。  
複合機能操作部３１は、駆動モータの巻上げ操作の機能として、図９に示すように、両端が一対の支持アーム２５に回動可能に支持され、図７（ａ）に示すように、円筒形の内部中央には角度センサ９が収容されている。
【００３１】
角度センサ９は、一方の支持アーム２５の支持部材に固定され、他方から回転可能に設けられた支持部材にセンサ部分が連結している。さらに、回転可能な支持部材と複合機能操作部３１とが一体的に係合されているため、当接領域を指操作で回動させると、一体的に角度センサ９に角度変化を与える。この角度変化により、駆動モータ５に対して釣糸の巻上げ開始・停止及び巻上げ速度を指示する。
【００３２】
さらに、複合機能操作部３１は、クラッチＯＦＦ操作の機能として、一対の支持アーム２５により支持される。これらの支持アーム２５は、クラッチ機構２４から昇降可能に延出するアーム形状を成し、上方位置（クラッチＯＮ）に上がっていれば、駆動モータ５の駆動力がスプール７に伝達され、下方位置（クラッチＯＦＦ）に下がっていれば駆動力が遮断される。従って、複合機能操作部３１を指で押し下げて係止させると、クラッチがＯＦＦされ、スプール７がフリー状態となる。尚、図示していないが、複合機能操作部３１を下方位置で係止させる何らかの係止機構を有している。支持アーム２５は、回動の軸心がスプール７の軸心と同じ高さ位置又はこれよりも低い位置に配置される。
【００３３】
さらに、複合機能操作部３１は、第２のクラッチＯＮ操作部３２と連結部材３３により連結され、一体的に移動する。図１０（ａ）に示すように、第２のクラッチＯＮ操作部３２は、クラッチＯＮ時には、スプール７の斜め上方に位置する。クラッチのＯＦＦ操作により複合機能操作部３１が押し下げられると、一体的に、第２のクラッチＯＮ操作部３２もスプール７縁の円周に沿って下方に移動する。この時、図８に示すように、下方位置にある第２のクラッチＯＮ操作部３２は、リール本体２を保持する手の親指に対向している。
【００３４】
この親指で第２のクラッチＯＮ操作部３２を指で操作すると、複合機能操作部３１の係止状態が解除されて、下方位置から上方位置に復帰し、クラッチＯＦＦからクラッチＯＮに切り換えられる。また、前述したように、ポップアップしているクラッチＯＮ操作部２３を押し込む又はハンドル１２を回転させることにより、クラッチＯＦＦからクラッチＯＮの切り換えてもよい。
【００３５】
尚、複合機能操作部３１に対して、クラッチＯＮ操作部２３、第２のクラッチＯＮ操作部３２及びハンドル１２は、クラッチ機構１０において相関関係を有している。即ち、複合機能操作部３１を押し下げて係止すると、クラッチが遮断され、第２のクラッチＯＮ操作部３２が一体的に下方に移動し、且つクラッチＯＮ操作部２３は上部がポップアップする。さらに、クラッチＯＮ操作部２３を押し込む、又は第２のクラッチＯＮ操作部３２を指で操作すると、係止が解除された複合機能操作部３１が上方位置に戻り、クラッチが連結する。また、クラッチのＯＦＦ時にハンドル１２を回転させると、クラッチが連結すると共に、クラッチＯＮ操作部２３が沈み込み、複合機能操作部３１及び第２のクラッチＯＮ操作部３２が上方位置に戻り、駆動モータ５からスプール７に駆動力が伝達される。
【００３６】
本実施形態の第２のクラッチＯＮ操作部３２は、リール本体２の開口領域の内側面に張り出す突起形状であったが、これに限定されることはなく、例えば、スプール７の上方で両側のフレーム（リール本体のフレーム）に掛け渡す形状であってもよい。この形状の場合、サミング操作を妨げないように、例えば、クラッチＯＮ時は、前方の制御ケース１７の下面側に退避し、複合機能操作部３１が押し下げられたクラッチＯＦＦ時には、制御ケース１７の後方近傍に出現するように構成してもよい。
【００３７】
また、第２のクラッチＯＮ操作部３２は、制御ケース１７のスプール７側に露呈するように張り出して設けて、先端部分を上下移動させて係止又は係止解除する構成でもよい。  
尚、本実施形態のような第２のクラッチＯＮ操作部３２を設けた場合、クラッチＯＮ操作部２３は省略してもよいが、置き竿の場合の操作を考慮すると設けておいた方が好ましい。
【００３８】
以上説明した本実施形態の電動リールによれば、クラッチＯＦＦ操作の機能と駆動モータの巻上げ操作の機能を統合した複合機能操作部３１を用いることにより、リール本体２に設けている操作部位の数を減少させることができ、小型化及び軽量化に寄与することができる。さらに、ユーザにとっては、例えば、仕掛けの投入から回収までを、指の押下及び曲げ伸ばしだけで連続して、スムーズに操作を行うことができ、釣行に掛かる負荷が軽減される。
【００３９】
［第４の実施形態］
図１１（ａ）は、第４の実施形態に係る電動リールを上方から見た全体的な外観構成を示す図、図１１（ｂ）は、電動リールを後方から見た全体的な外観構成を図である。図１２は、クラッチ機構の構成を示す図である。図１３は、図１１（ａ）に示すＤ−Ｄ断面の電動リールの内部構造を示す断面図である。尚、本実施形態の構成部位に置いて、前述した第３の実施形態と同等の構成部位には同じ参照符号を付してその説明は省略する。
【００４０】
本実施形態は、クラッチＯＦＦ操作の機能と駆動モータの巻上げ操作の機能を統合した複合機能操作部４０がスプール７の後方に設けられている。また、リール本体２の開口領域におけるハンドル１２側には前述したクラッチＯＮ操作部２３が設けられている。
【００４１】
複合機能操作部４０は、モータ操作部４１とクラッチＯＦＦ操作部４２とが、一対の支持アーム２５間を横架して一軸上に並設されて構成される。クラッチＯＦＦ操作部４２は、上面に平面４２ａを有する断面が半円形の筒形状を成し、中空の内部には、角度センサ９を収容して、一方の支持アーム２５に固定されるように軸止される押下用操作部材である。クラッチＯＦＦ操作部４２の平面４２ａは、複合機能操作部４０を押し下げる際に、指を接触させる面であり、滑り止め用に複数の溝又は凹凸が設けられている。
【００４２】
モータ操作部４１は、操作指示のために指が当接する円筒形状を成す当接領域（モータ操作部材）を有する回動型スイッチである。その円筒形状の一端が他方の支持アーム２５に回転可能に軸支され、他端は角度センサ９の回動するセンサ部分に嵌合し、且つクラッチＯＦＦ操作部４２に回動可能に連結されている。
【００４３】
一対の支持アーム２５は、クラッチ機構４４からガイド溝４５に沿って昇降可能に延出するアーム形状を成し、上方位置（クラッチＯＮ）に上がっていれば、駆動モータ５の駆動力がスプール７に伝達され、下方位置（クラッチＯＦＦ）に下がっていれば駆動力が遮断される。
【００４４】
従って、複合機能操作部４０のクラッチＯＦＦ操作部４２を指で押し下げて係止させると、クラッチがＯＦＦされ、スプール７がフリー状態となる。また同時に、クラッチＯＮ操作部２３の上部がポップアップする。尚、図示していないが、複合機能操作部３１を下方位置で係止させる何らかの係止機構を有している。複合機能操作部４０の回動の軸心は、スプール７の軸心と同じ高さ位置又はこれよりも低い位置に配置される。
【００４５】
以上説明した本実施形態の電動リールによれば、クラッチＯＦＦ操作の機能と駆動モータの巻上げ操作の機能を統合した複数の機能を有する複合機能操作部４０を用いることにより、リール本体２に設けられている操作部位の数を減少させることができ、小型化及び軽量化に寄与することができる。
【００４６】
さらに、複合機能操作部４０を押し下げる際に、モータ操作部４１に接触せずにクラッチＯＦＦ操作部４２の上面４２ａを指で押し下げることができ、不用意に、モータ操作部４１を回動させることなく、巻上げを開始させてしまう誤操作が防止できる。
【００４７】
［第５の実施形態］
図１４は、第５の実施形態に係る電動リールを上方から見た全体的な外観構成を示す図、図１５は、クラッチ機構の構成を示す図である。図１６は、図１４に示すＥ−Ｅ断面の電動リールの内部構造を示す断面図である。尚、本実施形態の構成部位に置いて、前述した第１の実施形態と同等の構成部位には同じ参照符号を付してその説明は省略する。
【００４８】
本実施形態は、クラッチＯＦＦ操作の機能と駆動モータの巻上げ操作の機能を統合した複合機能操作部５１がスプール７の後方に設けられている。また、リール本体２の開口領域におけるハンドル１２側には、前述したクラッチＯＮ操作部２３が設けられている。
【００４９】
複合機能操作部５１は、両端が一対の支持アーム２５に固定される中空の角柱形状を成している。複合機能操作部５１は、駆動モータ５の巻上げ操作の機能として、内部には摺動抵抗器を含む操作部材５２が設けられ、上面には、スライドボタン５３が配置されている。スライドボタン５３は、スライド移動による指示信号の電圧変化により、駆動モータ５に対して釣糸の巻上げ開始・停止及び巻上げ速度を指示する。本実施形態のスライドボタン５３は、例えば、左右に直線的にスライド移動する構成として、左端位置をＯＦＦ位置とし、指操作で右側に移動するとＯＮして、以降徐々に巻上げ速度が速くなるように設計される。
【００５０】
また、複合機能操作部５１は、クラッチＯＦＦ機能を有している。一対の支持アーム２５は、クラッチ機構５４から昇降可能に延出するアーム形状を成し、上方位置（クラッチＯＮ）に上がっていれば、駆動モータ５の駆動力がスプール７に伝達され、下方位置（クラッチＯＦＦ）に下がっていれば駆動力が遮断される。
【００５１】
複合機能操作部５１を指で押し下げて係止させると、クラッチがＯＦＦされ、スプール７がフリー状態となる。また同時に、クラッチＯＮ操作部２３の上部がポップアップする。尚、図示していないが、複合機能操作部３１を下方位置で係止させる何らかの係止機構を有している。複合機能操作部５１の上面は、スプール７の軸心と同じ高さ位置又はこれよりも低い位置に配置される。
【００５２】
以上説明した本実施形態の電動リールによれば、クラッチＯＦＦ操作の機能と駆動モータの巻上げ操作の機能を統合した複数の機能を有する複合機能操作部を用いることにより、リール本体に露呈している操作部位の数を減少させることができ、小型化及び軽量化に寄与することができる。さらに、複合機能操作部５１を押し下げる際に、スライドボタン５３のスライド方向が押し下げる方向と直交しているため、押し下げ時に不用意にスライドボタン５３に指が掛かっていたとしても移動させることがなく、巻上げを開始させてしまう誤操作が防止できる。
【００５３】
以上説明した実施形態においては、以下の発明を含んでいる。  
これらの発明は、電動リールにおいて、釣行を行う際に、釣糸の繰り出し、釣糸の巻上げ等の複数の異なった動作を行うために、それぞれに専用に設けられた操作部位を操作している。これらの操作部位の機能を統合した複合機能操作部を提示し、リール本体のコンパクト化、操作の簡易化及び操作のスムーズな連続性を実現する。  
１．前方に繰り出した釣糸を巻上げて巻回するスプールと、
前記スプールを回転させて、前記釣糸の巻上げを行うための駆動モータと、
前記駆動モータの駆動力を前記スプールに伝搬又は遮断するクラッチ機構と、
前記スプールの側方に設けられ、前記クラッチ機構に対して前記駆動モータの駆動力を前記スプールに伝搬させる指示を行うクラッチＯＮ操作部と、
前記スプールの後方に配置され、前記クラッチ機構から延出する昇降移動によりクラッチを遮断する一対の支持アームと、両端が前記一対の支持アーム間を連結して回動可能に軸支され、指操作による回動で前記駆動モータの駆動を指示するモータ操作部材と、を備える複合機能操作部と、
を具備することを特徴とする魚釣用電動リール。（第３の実施形態）  
２．前方に繰り出した釣糸を巻上げて巻回するスプールと、
前記スプールを回転させて、前記釣糸の巻上げを行うための駆動モータと、
前記駆動モータの駆動力を前記スプールに伝搬又は遮断するクラッチ機構と、
前記スプールの後方に配置され、前記クラッチ機構から延出する昇降移動によりクラッチを遮断する一対の支持アームと、
前記支持アームの一方に軸止される押下用操作部材と、前記支持アームの他方に回動可能に軸支されて指操作による回動で前記駆動モータの駆動を指示するモータ操作部材と、を前記一対の支持アーム間を横架して一軸上に並設する複合機能操作部と、
前記スプールの側方に設けられ、前記複合機能操作部と連結して一体的に前記スプールの外周に沿って移動し、前記クラッチ機構に対して前記駆動モータの駆動力を前記スプールに伝搬させる指示を行うクラッチＯＮ操作部と、
を具備することを特徴とする魚釣用電動リール。（第４の実施形態）  
３．前方に繰り出した釣糸を巻上げて巻回するスプールと、
前記スプールを回転させて、前記釣糸の巻上げを行うための駆動モータと、
前記駆動モータの駆動力を前記スプールに伝搬又は遮断するクラッチ機構と、
前記スプールの側方に設けられ、前記クラッチ機構に対して前記駆動モータの駆動力を前記スプールに伝搬させる指示を行うクラッチＯＮ操作部と、
前記スプールの後方に配置され、前記クラッチ機構から延出する昇降移動によりクラッチを遮断する一対の支持アーム間に、両端を連結して軸止され、指操作によるスライド移動で前記駆動モータの駆動を指示するモータ操作部材を備える複合機能操作部と、
を具備することを特徴とする魚釣用電動リール。（第５の実施形態）
【符号の説明】
【００５４】
１…電動リール、２…リール本体、３…液晶表示部、３ａ…表示画面カバー、４…操作ボタン、５…駆動モータ、６…駆動機構、７…スプール、８…モータ操作部、９…角度センサ、１０…クラッチ機構、１１…クラッチＯＮ／ＯＦＦ操作部（クラッチレバー）、１２…ハンドル、１３…ドラグ調整用ノブ、１４…竿取付部、１５…電源用コネクタ、１７…制御ケース、１８…レベルワインド機構、２１…モータ操作部、２２…クラッチＯＦＦ操作部、２３…クラッチＯＮ操作部、２４…クラッチ機構、２５…支持アーム、３１…複合機能操作部、３２…第２のクラッチＯＮ操作部。
【図１】
2013021935.tif 000003
【図２】
2013021935.tif 000004
【図３】
2013021935.tif 000005
【図４】
2013021935.tif 000006
【図５】
2013021935.tif 000007
【図６】
2013021935.tif 000008
【図７】
2013021935.tif 000009
【図８】
2013021935.tif 000010
【図９】
2013021935.tif 000011
【図１０】
2013021935.tif 000012
【図１１】
2013021935.tif 000013
【図１２】
2013021935.tif 000014
【図１３】
2013021935.tif 000015
【図１４】
2013021935.tif 000016
【図１５】
2013021935.tif 000017
【図１６】
2013021935.tif 000018